(57)【要約】【課題】ＧＰＳ受信部による携帯端末装置の位置検出及び画像形成装置を有効利用して、画像形成装置の利用目的を多様化させる。【解決手段】本発明の画像処理システムＳｙでは、各携帯端末装置１０は、画像形成装置３０の位置をサーバー５０から受信し、この受信した位置からＧＰＳ検出部１６により検出された当該携帯端末装置の位置までの案内情報を求めて表示部１１に表示させ、各画像形成装置３０は、接近して来た携帯端末装置を承認した場合に、操作部３２の操作に応じて画像形成の開始要求をサーバー５０に送信させ、サーバー５０は、各画像形成の開始要求を受信し、これらの要求の受信のタイミングのずれが規定の操作時間に入ると判定した場合に、画像データを画像形成装置５０に送信させる。【選択図】図１
2018121306.tif 000002
【特許請求の範囲】
【請求項１】
ネットワークを通じて互いにデータ通信を行う複数の携帯端末装置、複数の画像形成装置、及びサーバーを備える画像処理システムであって、
前記各携帯端末装置は、表示部と、ユーザーにより操作される第１操作部と、当該携帯端末装置の位置を検出する位置検出部と、前記ネットワークを通じてデータ通信を行う第１ネットワーク通信部と、前記画像形成装置との間でデータ通信を行う第１近距離通信部と、前記サーバーから送信された前記各画像形成装置のいずれかの位置を前記第１ネットワーク通信部で受信すると、この受信した位置及び前記位置検出部により検出された当該携帯端末装置の位置に基づき当該携帯端末装置の位置から前記受信した位置までの案内情報を求めて前記表示部に表示させる第１制御部と、を備え、
前記各画像形成装置は、ユーザーにより操作される第２操作部と、画像を記録紙に記録する画像形成部と、前記ネットワークを通じてデータ通信を行う第２ネットワーク通信部と、前記携帯端末装置との間でデータ通信を行う第２近距離通信部と、前記携帯端末装置の第１近距離通信部と前記第２近距離通信部の間の近距離通信により又は前記第２操作部の操作により入力したデータに基づき該携帯端末装置を承認するか否かを判定し、承認すると判定した場合は、データ送信要求を前記第２ネットワーク通信部から前記サーバーに向けて送信させる第２制御部とを備え、前記第２ネットワーク通信部は、このデータ送信要求に応答して前記サーバーから送られてくる画像データを受信し、
前記サーバーは、前記各画像形成装置の位置と前記画像データとを記憶した記憶部と、前記ネットワークを通じてデータ通信を行う第３ネットワーク通信部と、前記各画像形成装置の位置を前記第３ネットワーク通信部から前記各携帯端末装置にそれぞれ送信させ、前記各画像形成装置から送信されたそれぞれの前記データ送信要求を前記第３ネットワーク通信部で受信すると、これらのデータ送信要求の受信のタイミングのずれが規定の操作時間内に入るか否かを判定し、規定の操作時間内に入ると判定すると、前記画像データを前記記憶部から読み出し、この画像データを前記第３ネットワーク通信部から、前記データ送信要求を送信してきた前記各画像形成装置の少なくとも１つに送信させる第３制御部と、を備える画像処理システム。
【請求項２】
前記各画像形成装置の前記第２制御部は、前記データ送信要求に応答して前記サーバーから前記第２ネットワーク通信部に受信された画像データによって示される画像を、前記第２ネットワーク通信部により前記携帯端末装置に送信させる請求項１に記載の画像処理システム。
【請求項３】
前記各画像形成装置の前記第２制御部は、前記データ送信要求として、画像形成の開始要求を前記第２ネットワーク通信部から前記サーバーに向けて送信させ、この画像形成の開始要求に応答して前記サーバーから前記第２ネットワーク通信部に受信された画像データによって示される画像を、前記画像形成部により記録紙に記録させる請求項１に記載の画像処理システム。
【請求項４】
前記サーバーの記憶部には、前記各画像形成装置に対して予め設定されている優先順位が記憶されており、
前記サーバーの第３制御部は、前記画像形成の開始要求を送信してきた前記各画像形成装置のうちの最も高い優先順位の画像形成装置を選択して、前記画像データを前記第３ネットワーク通信部から前記最も高い優先順位の画像形成装置に送信させる請求項１に記載の画像処理システム。
【請求項５】
前記サーバーの第３制御部は、前記画像データとは異なる別の印刷データを、前記画像データと共に前記第３ネットワーク通信部から前記各画像形成装置の少なくとも１つに送信させ、
前記各画像形成装置では、前記印刷データを画像データと共に前記第２ネットワーク通信部で受信すると、前記第２制御部は、前記画像形成部を制御して、前記印刷データ及び前記画像データによって示される画像を記録紙に記録させる請求項３又は請求項４に記載の画像処理システム。
【請求項６】
前記各画像形成装置のいずれかを親の画像形成装置とし、
前記親の画像形成装置の前記第２制御部は、前記親の画像形成装置で生成した印刷データを前記第２ネットワーク通信部から前記サーバーに向けて送信させ、
前記サーバーでは、前記印刷データを前記第３ネットワーク通信部で受信すると、前記第３制御部は、前記印刷データを該画像データと共に前記第３ネットワーク通信部から、前記各画像形成装置の少なくとも１つであって、前記印刷データを送信してきた画像形成装置とは異なる画像形成装置に向けて送信させる請求項５に記載の画像処理システム。
【請求項７】
前記親の画像形成装置の第２制御部は、前記各画像形成装置別に前記印刷データを設定して、該各画像形成装置別のそれぞれの印刷データを前記第２ネットワーク通信部から前記サーバーに送信させ、
前記サーバーでは、前記各画像形成装置別に設定されたそれぞれの印刷データを前記第３ネットワーク通信部で受信すると、前記第３制御部は、前記画像データを受信する通信相手の画像形成装置の印刷データを選択して、この選択した印刷データを該画像データと共に前記第３ネットワーク通信部から前記通信相手の画像形成装置に送信させる請求項５に記載の画像処理システム。
【請求項８】
前記各画像形成装置では、前記印刷データを画像データと共に前記第２ネットワーク通信部で受信すると、前記第２制御部は、前記第２操作部の操作に応じて該印刷データを変更し、前記画像形成部を制御して、前記変更した印刷データに基づき、前記画像データによって示される画像を記録紙に記録させ、前記変更した印刷データを前記第２ネットワーク通信部から前記サーバーに対して送信させる請求項５乃至請求項７のいずれかに記載の画像処理システム。
【請求項９】
前記サーバーでは、前記変更した印刷データを前記第３ネットワーク通信部で受信すると、前記第３制御部は、前記変更した印刷データを前記第３ネットワーク通信部から前記親の画像形成装置に向けて送信させる請求項８に記載の画像処理システム。
【請求項１０】
前記親の画像形成装置の第２制御部は、前記第２操作部の操作に応じて前記規定の操作時間を設定し、この設定した規定の操作時間を前記第２ネットワーク通信部から前記サーバーに送信して指定する請求項５乃至請求項９のいずれか１つに記載の画像処理システム。
【請求項１１】
前記各画像形成装置の第２制御部は、前記画像形成部を制御して、前記画像データによって示される画像を記録紙に記録させる際に、前記画像の記録速度を通常の記録速度よりも、予め定められた速度だけ低下させる請求項３乃至請求項１０のいずれか１つに記載の画像処理システム。
【請求項１２】
前記サーバーでは、予め定められた複数の領域別にそれぞれの画像データを前記記憶部に記憶させており、
前記第３ネットワーク通信部は、前記各携帯端末装置からそれぞれの位置を受信し、
前記第３制御部は、前記記憶部から、前記各携帯端末装置から受信した位置に対応付けられた画像データを選択し、当該選択した画像データを、前記第３ネットワーク通信部から、対応する前記各携帯端末装置に送信させる請求項３乃至請求項１１のいずれかに記載の画像処理システム。
【請求項１３】
前記サーバーでは、複数の画像データを前記記憶部に記憶させており、前記第３制御部は、前記各画像形成の開始要求の受信のタイミングのずれが前記規定の操作時間に入ると判定すると、前記各画像データのいずれかをランダムに選択して、この選択した画像データを前記第３ネットワーク通信部から前記各画像形成装置の少なくとも１つに送信させる請求項３乃至請求項１２のいずれか１つに記載の画像処理システム。
【請求項１４】
複数の携帯端末装置、複数の画像形成装置、及びサーバーによりネットワークを通じて互いにデータ通信を行うデータ通信方法であって、
前記各携帯端末装置は、それぞれに、前記サーバーから送信された前記各画像形成装置のいずれかの位置を受信すると、この受信した位置及び当該携帯端末装置の位置に基づき当該携帯端末装置の位置から前記受信した位置までの案内情報を求めて表示部に表示させ、
前記各画像形成装置は、前記携帯端末装置との近距離通信により又は第２操作部の操作により入力されたデータに基づき前記携帯端末装置を承認するか否かを判定し、承認すると判定した場合は、データ送信要求を前記サーバーに向けて送信し、このデータ送信要求に応答して前記サーバーから送られてくる画像データを受信し、
前記サーバーは、前記各画像形成装置の位置を前記各携帯端末装置にそれぞれ送信し、前記各画像形成装置から送信されたそれぞれの前記データ送信要求を受信すると、これらのデータ送信要求の受信のタイミングのずれが規定の操作時間内に入るか否かを判定し、規定の操作時間内に入ると判定すると、前記画像データを、前記データ送信要求を送信してきた前記各画像形成装置の少なくとも１つに送信するデータ通信方法。
【発明の詳細な説明】
【技術分野】
【０００１】
本発明は、ネットワークを通じて互いにデータ通信を行う複数の携帯端末装置、複数の画像形成装置、及びサーバーを備える画像処理システムと、データ通信方法とに関し、特に、携帯端末装置の位置検出の機能を利用した技術に関する。
【背景技術】
【０００２】
画像処理システムにおいては、画像形成装置を、ネットワークを通じてサーバーに接続し、画像データをサーバーからネットワークを通じて画像形成装置に送信するものがある。この画像形成装置では、画像データを受信し、画像データによって示される画像を記録紙に印刷して、この記録紙を排出する。
【０００３】
また、このような画像処理システムとして、携帯端末装置を備えるものがあり、ＧＰＳ受信部による携帯端末装置の位置検出を利用することもある（例えば、特許文献１、２を参照）。
【先行技術文献】
【特許文献】
【０００４】
【特許文献１】特開２００５−１７３７９３号公報
【特許文献２】特開２００７−１４８５３２号公報
【発明の概要】
【発明が解決しようとする課題】
【０００５】
ここで、画像形成装置、携帯端末装置、及びサーバーの間でデータを通信するシステムを構築した場合は、ＧＰＳ受信部による携帯端末装置の位置検出や画像形成装置を有効利用して、イベントやゲームなどを提供し、画像形成装置の利用目的を多様化させることが可能である。しかしながら、従来は、そのための技術が提供されていなかった。
【０００６】
本発明は、上記の事情に鑑みなされたものであり、ＧＰＳ受信部による携帯端末装置の位置検出及び画像形成装置を有効利用して、画像形成装置の利用目的を多様化させることを目的とする。
【課題を解決するための手段】
【０００７】
本発明の一局面に係る画像処理システムは、ネットワークを通じて互いにデータ通信を行う複数の携帯端末装置、複数の画像形成装置、及びサーバーを備える画像処理システムであって、
前記各携帯端末装置は、表示部と、ユーザーにより操作される第１操作部と、当該携帯端末装置の位置を検出する位置検出部と、前記ネットワークを通じてデータ通信を行う第１ネットワーク通信部と、前記画像形成装置との間でデータ通信を行う第１近距離通信部と、前記サーバーから送信された前記各画像形成装置のいずれかの位置を前記第１ネットワーク通信部で受信すると、この受信した位置及び前記位置検出部により検出された当該携帯端末装置の位置に基づき当該携帯端末装置の位置から前記受信した位置までの案内情報を求めて前記表示部に表示させる第１制御部と、を備え、
前記各画像形成装置は、ユーザーにより操作される第２操作部と、画像を記録紙に記録する画像形成部と、前記ネットワークを通じてデータ通信を行う第２ネットワーク通信部と、前記携帯端末装置との間でデータ通信を行う第２近距離通信部と、前記携帯端末装置の第１近距離通信部と前記第２近距離通信部の間の近距離通信により又は前記第２操作部の操作により入力したデータに基づき該携帯端末装置を承認するか否かを判定し、承認すると判定した場合は、データ送信要求を前記第２ネットワーク通信部から前記サーバーに向けて送信させる第２制御部とを備え、前記第２ネットワーク通信部は、このデータ送信要求に応答して前記サーバーから送られてくる画像データを受信し、
前記サーバーは、前記各画像形成装置の位置と前記画像データとを記憶した記憶部と、前記ネットワークを通じてデータ通信を行う第３ネットワーク通信部と、前記各画像形成装置の位置を前記第３ネットワーク通信部から前記各携帯端末装置にそれぞれ送信させ、前記各画像形成装置から送信されたそれぞれの前記データ送信要求を前記第３ネットワーク通信部で受信すると、これらのデータ送信要求の受信のタイミングのずれが規定の操作時間内に入るか否かを判定し、規定の操作時間内に入ると判定すると、前記画像データを前記記憶部から読み出し、この画像データを前記第３ネットワーク通信部から、前記データ送信要求を送信してきた前記各画像形成装置の少なくとも１つに送信させる第３制御部と、を備えるものである。
【０００８】
本発明の一局面に係るデータ通信方法は、複数の携帯端末装置、複数の画像形成装置、及びサーバーによりネットワークを通じて互いにデータ通信を行うデータ通信方法であって、
前記各携帯端末装置は、それぞれに、前記サーバーから送信された前記各画像形成装置のいずれかの位置を受信すると、この受信した位置及び当該携帯端末装置の位置に基づき当該携帯端末装置の位置から前記受信した位置までの案内情報を求めて表示部に表示させ、
前記各画像形成装置は、前記携帯端末装置との近距離通信により又は第２操作部の操作により入力されたデータに基づき前記携帯端末装置を承認するか否かを判定し、承認すると判定した場合は、データ送信要求を前記サーバーに向けて送信し、このデータ送信要求に応答して前記サーバーから送られてくる画像データを受信し、
前記サーバーは、前記各画像形成装置の位置を前記各携帯端末装置にそれぞれ送信し、前記各画像形成装置から送信されたそれぞれの前記データ送信要求を受信すると、これらのデータ送信要求の受信のタイミングのずれが規定の操作時間内に入るか否かを判定し、規定の操作時間内に入ると判定すると、前記画像データを、前記データ送信要求を送信してきた前記各画像形成装置の少なくとも１つに送信するものである。
【発明の効果】
【０００９】
本発明によれば、ＧＰＳ受信部による携帯端末装置の位置検出及び画像形成装置を有効利用して、画像形成装置の利用目的を多様化させることができる。
【図面の簡単な説明】
【００１０】
【図１】本発明に係る一実施形態の画像処理システムを示すブロック図である。
【図２】本実施形態の画像処理システムにおける携帯端末装置、画像形成装置、及びサーバーによる処理手順を示すフローチャートである。
【図３】携帯端末装置、画像形成装置、及びサーバーの間で行われる通信手順を概略的に示す図である。
【図４】複数の画像形成装置の識別データと該各画像形成装置の位置とが対応付けられた位置テーブルを概念的に示す図である。
【図５】複数の画像データと、携帯端末装置の位置が属する領域とが対応付けられた領域テーブルを概念的に示す図である。
【発明を実施するための形態】
【００１１】
以下、本発明の実施形態にかかる画像処理システム及びデータ通信方法について図面を参照して説明する。
【００１２】
図１は、本発明に係る一実施形態の画像処理システムを示すブロック図である。本実施形態の画像処理システムＳｙは、複数の携帯端末装置１０、複数の画像形成装置３０、及びサーバー５０を、ネットワークＮを通じて接続してなる。この画像処理システムＳｙにおいて、各携帯端末装置１０は、例えば、スマートフォンやモバイルなどであって、表示部１１と、タッチパネル１２と、ＧＰＳ受信部１６と、ネットワーク通信部１３と、近距離通信部１４と、記憶部１８と、制御ユニット１９とを備えている。これらの構成要素は、互いにバスを通じてデータ又は信号の送受信が可能とされている。
【００１３】
表示部１１は、液晶ディスプレイ（ＬＣＤ：Liquid Crystal Display）や有機ＥＬ（ＯＬＥＤ：Organic Light-Emitting Diode）などから構成される。例えば、表示部１１の画面には、複数のアイコンが表示される。
【００１４】
タッチパネル１２は、所謂抵抗膜方式や静電容量方式等のタッチパネルである。タッチパネル１２は、表示部１１の画面に配置され、表示部１１の画面上のアイコンに対する指などの接触をその接触位置と共に検出する。タッチパネル１２は、指などの接触を検出すると、その接触位置の座標を示す検出信号を制御ユニット１９に出力する。従って、タッチパネル１２は、表示部１１の画面に対するユーザー操作が入力される操作部としての役割を果たす。
【００１５】
ネットワーク通信部（図１ではＮＷ通信部）１３は、不図示のＬＡＮチップなどの通信モジュールを備える通信インターフェイスである。このネットワーク通信部１３は、ネットワークを介して画像形成装置３０やサーバー５０に接続されて、画像形成装置３０やサーバー５０との間でデータの送受信を行う。
【００１６】
また、近距離通信部１４は、近距離通信方式（Ｎｅａｒ Ｆｉｅｌｄ Ｃｏｍｍｕｎｉｃａｔｉｏｎ）に基づく通信インターフェイスであり、例えばブルートゥース（Ｂｌｕｅｔｏｏｔｈ・登録商標）に基づく通信インターフェイスである。携帯端末装置１０は、近距離通信部１４を通じて画像形成装置３０に接続され、画像形成装置３０との間でデータの送受信を行う。なお、ブルートゥース（Ｂｌｕｅｔｏｏｔｈ）の他に、「Ｗｉ−Ｆｉ Ｄｉｒｅｃｔ」などの近距離通信方式を適用することができる。
【００１７】
ＧＰＳ受信部１６は、既知のＧＰＳ装置を備え、複数のＧＰＳ衛星から送信されるそれぞれのＧＰＳ信号を受信して出力する。これらのＧＰＳ信号には、それぞれのＧＰＳ信号を送信した各ＧＰＳ衛星の位置及び送信時刻に関する情報が含まれている。制御部２１は、これらのＧＰＳ信号の位置及び送信時刻に関する情報に基づいて携帯端末装置１０の位置を算出する。
【００１８】
記憶部１８は、メモリー、ＨＤＤ（Hard Disk Drive）などの大容量の記憶装置である。
【００１９】
制御ユニット１９は、プロセッサー、ＲＡＭ（Random Access Memory）、及びＲＯＭ（Read Only Memory）等から構成される。プロセッサーは、ＣＰＵ(Central Processing Unit)、ＡＳＩＣ、ＭＣＵ等である。制御ユニット１９は、上記のＲＯＭ又は記憶部１８に記憶された携帯用イベントアプリケーションプログラムが上記のプロセッサーで実行されることにより、制御部２１及び表示制御部２３として機能する。なお、制御ユニット１９の上記の各構成要素は、前述の携帯用イベントアプリケーションプログラムに基づく動作によらず、それぞれハード回路により構成されてもよい。
【００２０】
制御ユニット１９は、携帯端末装置１０の全体的な動作制御を司る。制御ユニット１９は、表示部１１、タッチパネル１２、ＧＰＳ受信部１６、ネットワーク通信部１３、近距離通信部１４、及び記憶部１８などと接続されており、これらの構成要素の動作制御や、該各構成要素との間での信号またはデータの送受信を行う。
【００２１】
制御部２１は、携帯端末装置１０を統括的に制御する。また、制御部２１は、タッチパネル１２の操作に応じた処理を実行する処理部としての役割を果たす。例えば、ユーザーによりタッチパネル１２を通じて表示部１１の画面に表示されているアイコンを選択する操作が行われた場合に、制御部２１は、当該アイコンに対応付けられた処理又は機能を実行する。
【００２２】
また、制御部２１は、各ＧＰＳ衛星のＧＰＳ信号をＧＰＳ受信部１６から入力して、これらのＧＰＳ信号により示される各ＧＰＳ衛星の位置及び送信時刻に関する情報に基づいて携帯端末装置１０の位置を算出する。
【００２３】
制御部２１は、ネットワーク通信部１３及び近距離通信部１４の通信動作を制御する機能を有する。記憶部１８は、各種のアプリケーションプログラムや種々の情報等を記憶している。また、表示制御部２３は、表示部１１の表示動作を制御する機能を有する。
【００２４】
次に、画像処理システムＳｙにおいて、画像形成装置３０は、表示部３１と、操作部３２と、ネットワーク通信部３３と、近距離通信部３４と、画像読取部３６と、画像形成部３７と、記憶部３８と、制御ユニット３９とを備えている。これらの構成要素は、互いにバスを通じてデータ又は信号の送受信が可能とされている。
【００２５】
制御ユニット３９は、プロセッサー、ＲＡＭ、及びＲＯＭ等から構成される。プロセッサーは、ＣＰＵ(Central Processing Unit)、ＡＳＩＣ、ＭＣＵ等である。制御ユニット３９は、上記のＲＯＭ又は記憶部１８に記憶された画像形成装置用イベントアプリケーションプログラムが上記のプロセッサーで実行されることにより、制御部４１、及び表示制御部４３として機能する。制御部４１は、画像形成装置３０を統括的に制御する。なお、制御ユニット３９の上記の各構成要素は、前述の画像形成装置用イベントアプリケーションプログラムに基づく動作によらず、それぞれハード回路により構成されてもよい。
【００２６】
表示部３１は、表示制御部４３により制御されて、画像形成装置用イベントアプリケーションプログラムの実行に伴う画面、より具体的には画像形成処理に必要な設定項目の入力画面、あるいは情報の入力画面などを表示する。
【００２７】
ネットワーク通信部（図１ではＮＷ通信部）３３は、制御部４１により制御され、ネットワークを通じて携帯端末装置１０やサーバー５０との間で各種のデータを送受信する。近距離通信部３４は、制御部４１により制御され、ブルートゥース（Ｂｌｕｅｔｏｏｔｈ）により携帯端末装置１０との間で各種のデータを送受信する。記憶部３８は、各種のアプリケーションプログラムや種々の情報等を記憶している。
【００２８】
画像読取部３６は、コンタクトガラスに載置された原稿を光学的に読み取るスキャナーを有し、この原稿の画像を示す画像データを生成する。
【００２９】
画像形成部３７は、感光体ドラム、感光体ドラムの表面を均一帯電させる帯電装置、感光体ドラムの表面を露光して、感光体ドラムの表面に静電潜像を形成する露光装置、感光体ドラムの表面の静電潜像をトナー像に現像する現像装置、及び感光体ドラムの表面のトナー像（画像）を記録媒体としての記録紙に転写する転写装置等を備え、サーバー５０等から受信した画像データによって示される画像や画像読取部３６により生成された画像データによって示される画像を記録紙に印刷する。
【００３０】
次に、画像処理システムＳｙにおいて、サーバー５０は、例えば、パーソナルコンピューターやワークステーションであって、表示部５１と、操作部５２と、ネットワーク通信部５３と、記憶部５８と、制御ユニット５９とを備えている。これらの構成要素は、互いにバスを通じてデータ又は信号の送受信が可能とされている。
【００３１】
制御ユニット５９は、プロセッサー、ＲＡＭ、及びＲＯＭ等から構成される。プロセッサーは、ＣＰＵ(Central Processing Unit)、ＡＳＩＣ、ＭＣＵ等である。制御ユニット１９は、上記のＲＯＭ又は記憶部１８に記憶されたサーバー用イベントアプリケーションプログラムが上記のプロセッサーで実行されることにより、制御部６１、表示制御部６３、及び制御部６１として機能する。制御部６１は、サーバー５０を統括的に制御する。なお、制御ユニット５９の上記の各構成要素は、前述のサーバー用イベントアプリケーションプログラムに基づく動作によらず、それぞれハード回路により構成されてもよい。
【００３２】
表示部５１は、表示制御部６３により制御されて、上記サーバー用イベントアプリケーションプログラムの実行に伴う画面などを表示する。
【００３３】
ネットワーク通信部（図１ではＮＷ通信部）５３は、制御部６１により制御され、ネットワークを通じて携帯端末装置１０や画像形成装置３０との間で各種のデータを送受信する。記憶部５８は、各種のアプリケーションプログラムや種々の情報等を記憶している。
【００３４】
このサーバー５０は、上記のように携帯端末装置１０や画像形成装置３０との間で各種のデータを送受信する。例えば、サーバー５０は、各画像形成装置３０からネットワークを通じて送信されて来たそれぞれの画像データをネットワーク通信部５３で受信して、これらの画像データを記憶部５８に記憶させて保存し、また画像データを記憶部５８から読み出して、この画像データをネットワーク通信部５３から画像形成装置３０に送信する。
【００３５】
ここで、本実施形態の画像処理システムＳｙにおいては、携帯端末装置１０のＧＰＳ受信部１６による位置検出及び画像形成装置３０を有効利用したイベントを提供することができる。
【００３６】
そのイベントの概要は、例えば、次の通りである。複数のユーザーがイベントに参加するものとすると、携帯端末装置１０毎に、携帯端末装置１０に対応付けられたそれぞれの画像形成装置３０の位置がサーバー５０からネットワークを通じて、該各ユーザーの携帯端末装置１０へと送受信される。該各ユーザーの携帯端末装置１０のいずれにおいても、対応付けられた画像形成装置３０の位置が受信されると、ＧＰＳ受信部１６で受信されたＧＰＳ信号に基づき当該携帯端末装置１０の位置が算出され、その受信した画像形成装置３０の位置及び当該携帯端末装置１０の位置に基づき当該携帯端末装置１０の位置から、この携帯端末装置１０に対応付けられた画像形成装置３０の位置までの案内情報が算出され、この案内情報が表示部１１に表示される。各携帯端末装置１０のユーザーは、自己の携帯端末装置１０の表示部１１に表示されている案内情報を参考にして、それぞれの画像形成装置３０まで移動し、それぞれの画像形成装置３０に対して当該携帯端末装置１０の承認を試みる。
【００３７】
そして、各画像形成装置３０では、対応付けられている携帯端末装置１０との間での近距離通信により又は操作部３２の操作により入力したデータに基づき該携帯端末装置１０を承認するか否かが判定され、承認すると判定された場合は、該携帯端末装置１０のユーザーによる操作部３２の操作に応じて、画像形成の開始要求がネットワークを通じて該携帯端末装置１０からサーバー５０に送信される。
【００３８】
サーバー５０では、各画像形成装置３０からそれぞれの画像形成の開始要求が受信されると、これらの画像形成の開始要求の受信のタイミングのずれが規定の操作時間に入るか否かが判定され、規定の操作時間に入ると判定されると、画像データが各画像形成装置３０に送信される。各画像形成装置３０では、画像データが受信されると、画像データによって示される画像を記録紙に記録する。
【００３９】
従って、このイベントでは、各携帯端末装置１０のユーザーがそれぞれの画像形成装置３０まで移動して、各携帯端末装置１０がそれぞれの画像形成装置３０で承認され、各画像形成装置３０の操作部３２の操作に応じてそれぞれの画像形成の開始要求がサーバー５０に送信され、サーバー５０が、それぞれの画像形成の開始要求を受信して、これらの画像形成の開始要求の受信のタイミングのずれが規定の操作時間に入る場合に、画像データがサーバー５０から各画像形成装置３０に送信される。
【００４０】
要するに、各携帯端末装置１０のユーザーがそれぞれの画像形成装置３０まで移動すること、各携帯端末装置１０がそれぞれの画像形成装置３０で承認されること、各画像形成装置３０の操作部３２の操作による画像形成の開始要求のタイミングのずれが規定の操作時間に入ることの３つの条件が満たされた場合に限り、画像データが各画像形成装置３０に送信される。これにより、画像データの機密性を向上させたり、複数のユーザーの協力に応じてクーポン券の画像などを提供したりすることができる。
【００４１】
なお、各画像形成装置３０では、制御部４１が、上記画像形成の開始要求に代えて、データ送信要求を、ＮＦＣ通信部３４からサーバー５０に向けて送信させ、ＮＦＣ通信部３４は、このデータ送信要求に応答してサーバー５０から送られてくる画像データを受信するものとしてもよい。すなわち、各画像形成装置３０では、画像データによって示される画像を記録紙に記録することまでは行わないようにすることも可能である。また、ＮＦＣ通信部３４が、当該画像形成装置３０に接続された外部機器に上記画像データを出力するようにしてもよい。
【００４２】
更に、各画像形成装置３０においては、制御部４１が、上記データ送信要求に応答してサーバー５０からＮＦＣ通信部３４に受信された画像データによって示される画像を、ＮＦＣ通信部３４により携帯端末装置１０に向けて送信させるようにしてもよい。
【００４３】
次に、そのようなイベントを実施するための各携帯端末装置１０、各画像形成装置３０、及びサーバー５０による処理手順を詳しく説明する。図２は、各携帯端末装置１０、各画像形成装置３０、及びサーバー５０による処理手順を示すフローチャートである。また、図３は、携帯端末装置１０、画像形成装置３０、及びサーバー５０の間で行われる通信手順を概略的に示す図である。
【００４４】
まず、イベントに参加する複数の携帯端末装置１０別に、それぞれの携帯端末装置１０のユーザーが、自己の携帯端末装置１０のタッチパネルをタッチ操作して、画像形成装置用イベントアプリケーションプログラムの起動を指示する。これにより、該携帯端末装置１０の制御ユニット１９は、当該画像形成装置用イベントアプリケーションプログラムを起動させる。
【００４５】
そして、携帯端末装置１０の制御部２１は、イベント参加のために必要な処理を開始し、イベントの参加要求、自己の携帯端末装置１０の識別データＧＩＤ、及びＧＰＳ受信部１６で受信されたＧＰＳ信号に基づき求められた自己の携帯端末装置１０の位置ＫＰを、制御部２１を通じてネットワーク通信部１３からサーバー５０に送信させる（ステップＳ１０１）。
【００４６】
サーバー５０では、イベントに参加する各携帯端末装置１０別に、イベントの参加要求、携帯端末装置１０の識別データＧＩＤ、及び携帯端末装置１０の位置ＫＰを、ネットワーク通信部５３で受信して、制御部６１を通じて制御部６１に入力する（ステップＳ２０１）。そして、制御部６１は、各携帯端末装置１０のイベントの参加要求に応じて該各携帯端末装置１０と同数の各画像形成装置３０を選択し、各携帯端末装置１０とその選択した各画像形成装置３０をそれぞれ対応付ける（ステップＳ２０２）。更に、制御部６１は、各携帯端末装置１０別に、携帯端末装置１０に対応する画像形成装置３０の位置ＧＰを、制御部６１を通じてネットワーク通信部５３から該携帯端末装置１０に送信させる（ステップＳ２０３）。
【００４７】
ここで、サーバー５０の記憶部５８には、図４に示すような画像形成装置３０の位置テーブルＧＴが予め記憶されている。この位置テーブルＧＴには、複数の画像形成装置３０の識別データＧＩＤと該各画像形成装置３０の位置ＧＰとが対応付けられて登録されている。例えば、制御部６１は、位置テーブルＧＴを参照して、各携帯端末装置１０別に、携帯端末装置１０の位置ＫＰと各画像形成装置３０の位置ＧＰを比較し、携帯端末装置１０の位置ＫＰに最も近い画像形成装置３０を選択し、携帯端末装置１０とその選択した画像形成装置３０を対応付ける。そして、該各携帯端末装置１０別に、携帯端末装置１０に対応付けられた画像形成装置３０の位置ＧＰを該携帯端末装置１０に送信させる。
【００４８】
また、サーバー５０の制御部６１は、ステップＳ２０１で受信した各携帯端末装置１０の識別データＫＩＤ別に、携帯端末装置１０の識別データＫＩＤを、制御部６１を通じてネットワーク通信部５３から該携帯端末装置１０に対応付けられた画像形成装置３０に向けて送信させる（ステップＳ２０４）。
【００４９】
各携帯端末装置１０では、自己の携帯端末装置１０に対応付けられた画像形成装置３０の位置ＧＰを、ネットワーク通信部１３で受信して、制御部２１を通じて制御部２１に入力する（ステップＳ１０２）。そして、制御部２１は、ＧＰＳ受信部１６で受信されたＧＰＳ信号に基づき自己の携帯端末装置１０の位置ＫＰを算出して、当該画像形成装置３０の位置ＧＰ及び自己の携帯端末装置１０の位置ＫＰに基づき、自己の携帯端末装置１０の位置ＫＰから該画像形成装置３０の位置ＧＰまでの案内情報を算出する。表示制御部２３は、当該案内情報を表示部１１に表示させる（ステップＳ１０３）。
【００５０】
例えば、案内情報は、自己の携帯端末装置１０に対する画像形成装置３０の方位及び離間距離で表される。また、自己の携帯端末装置１０の位置ＫＰが変化すると、自己の携帯端末装置１０に対する画像形成装置３０の方位及び離間距離も変化するので、案内情報が随時更新される。制御部２１は、当該案内情報の算出を、例えば、地図アプリ等を利用して、自己の携帯端末装置１０の位置ＫＰから該画像形成装置３０の位置ＧＰまでの道案内を示す画像を作成することにより行ってもよい。
【００５１】
このため、携帯端末装置１０のユーザーは、自己の携帯端末装置１０の表示部１１に表示されている案内情報を参照して、それぞれの画像形成装置３０まで移動することができる。
【００５２】
各携帯端末装置１０別に、携帯端末装置１０のユーザーは、自己の携帯端末装置１０に対応付けられた画像形成装置３０に接近すると、タッチパネル１２をタッチ操作して、近距離通信部１４を起動させ、この近距離通信部１４と該画像形成装置３０の近距離通信部３４の間でデータ通信を開始させる。つまり、携帯端末装置１０と画像形成装置３０の間でペアリングが行われる（ステップＳ１０４）。このとき、制御部２１は、携帯端末装置１０の識別データＫＩＤを、制御部２１を通じて近距離通信部１４から送信させる（ステップＳ１０５）。
【００５３】
各画像形成装置３０のいずれにおいても、ステップＳ２０４でサーバー５０から送信された携帯端末装置１０の識別データＫＩＤを、ネットワーク通信部３３で受信して、制御部４１を通じて制御部４１に入力する（ステップＳ３０１）。ステップＳ２０４では、各携帯端末装置１０の識別データＫＩＤ別に、携帯端末装置１０の識別データＫＩＤが該携帯端末装置１０に対応付けられた画像形成装置３０で送信されるので、画像形成装置３０では、該画像形成装置３０に対応付けられた携帯端末装置１０の識別データＫＩＤを入力することとなる。また、ペアリング相手の携帯端末装置１０の識別データＫＩＤを、近距離通信部３４で受信して、制御部４１を通じて制御部４１に入力する（ステップＳ３０２）。
【００５４】
そして、制御部４１は、サーバー５０から受信した識別データＫＩＤとペアリング相手の携帯端末装置１０から受信した識別データＫＩＤが一致するか否かに基づき、ペアリング相手の携帯端末装置１０を承認するか否かを判定する（ステップＳ３０３）。ここで、サーバー５０から受信した識別データＫＩＤとペアリング相手の携帯端末装置１０から受信した識別データＫＩＤが一致する場合は、ペアリング相手の携帯端末装置１０が、サーバー５０において当該画像形成装置３０に対応付けられた携帯端末装置１０と同一のものであることを示す。また、ペアリング相手の携帯端末装置１０のユーザーが、上記案内情報を参考にして、このペアリング相手の携帯端末装置１０に対応付けられた当該画像形成装置３０に正確に到着したこととなる。
【００５５】
制御部４１は、一致すると判定する場合は、ペアリング相手の携帯端末装置１０のユーザーが該ペアリング相手の携帯端末装置１０に対応付けられた当該画像形成装置３０に到着したことになるので、携帯端末装置１０を承認すると判定する（ステップＳ３０３「Ｙｅｓ」）。また、制御部４１は、一致しないと判定する場合は、携帯端末装置１０を承認しないと判定する（ステップＳ３０３「Ｎｏ」）。尚、サーバー５０からの識別データＫＩＤを受信しながらも、予め定められた一定時間内に、携帯端末装置１０とのペアリングが行われなかった場合も、携帯端末装置１０を承認しないと判定する（ステップＳ３０３「Ｎｏ」）。
【００５６】
そして、制御部４１は、携帯端末装置１０を承認すると判定すると（ステップＳ３０３「Ｙｅｓ」）、操作部３２のスタートキーが操作されるのを待機し（ステップＳ３０４「Ｎｏ」）、操作部３２のスタートキーが操作されると（ステップＳ３０４「Ｙｅｓ」）、画像形成の開始要求を、制御部４１を通じてネットワーク通信部３３からサーバー５０に送信する（ステップＳ３０５）。また、制御部４１は、携帯端末装置１０を承認しないと判定すると（ステップＳ３０３「Ｎｏ」）、画像形成の開始要求を送信することなく、表示制御部４３を通じてエラーメッセージを表示部３１に表示させ（ステップＳ３０８）、処理を終了する。
【００５７】
このとき、各携帯端末装置１０のユーザーは、該各携帯端末装置１０を用いて互いに連絡して、画像形成装置３０の操作部３２のスタートキーを操作する時刻を打ち合わせて設定するか、又はその時刻を予め設定しておき、その時刻になったときに操作部３２のスタートキーを操作するものとする。すなわち、各携帯端末装置１０のユーザーは、それぞれの画像形成装置３０の操作部３２のスタートキーを同時に操作する。従って、各画像形成装置３０では、それぞれのペアリング相手の携帯端末装置１０が承認されると、それぞれの操作部３２のスタートキーがほぼ同時に操作されて、それぞれの画像形成の開始要求がサーバー５０にほぼ同時に送信される。
【００５８】
サーバー５０では、各画像形成装置３０別に、画像形成の開始要求を、ネットワーク通信部５３で受信して、制御部６１を通じて制御部６１に入力する（ステップＳ２０５）。そして、制御部６１は、各携帯端末装置１０からの画像形成の開始要求を受信したタイミングのずれが、予め定められた規定の操作時間内に入るか否かを判定する（ステップＳ２０６）。
【００５９】
制御部６１は、規定の操作時間内に入ると判定すると（ステップＳ２０６「Ｙｅｓ」）、画像データを、制御部６１を通じてネットワーク通信部５３から各画像形成装置３０に向けて送信させる（ステップＳ２０７）。
【００６０】
また、制御部６１は、各携帯端末装置１０の画像形成の開始要求を受信したタイミングのずれが規定の操作時間に入らないと判定すると（ステップＳ２０６「Ｎｏ」）、画像データを送信せず、エラーメッセージを、制御部６１を通じてネットワーク通信部５３から各画像形成装置３０に向けて送信させる（ステップＳ２０８）。
【００６１】
各画像形成装置３０では、画像データ又はエラーメッセージを、ネットワーク通信部３３で受信して、制御部４１を通じて制御部４１に入力する（ステップＳ３０６）。そして、制御部４１は、画像データを入力すると、この画像データを記憶部３８に記憶させる。画像形成部３７は、画像データによって示される画像を記録紙に印刷する（ステップＳ３０７）。また、制御部４１は、エラーメッセージを入力すると、このエラーメッセージを、表示制御部４３を通じて表示部３１の画面に表示させる（ステップＳ３０８）。
【００６２】
すなわち、本実施形態によれば、各携帯端末装置１０のユーザーがそれぞれの画像形成装置３０まで移動すること、各携帯端末装置１０がそれぞれの画像形成装置３０で承認されること、各画像形成装置３０の操作部３２の操作による画像形成の開始要求のタイミングのずれが規定の操作時間内に入ることの３つの条件が満たされた場合に、各画像形成装置３０において画像データによって示される画像が記録紙に記録され、各携帯端末装置１０のユーザーがその画像を取得することができる。これは、画像形成装置３０のゲーム的な感覚で利用可能とすることを示唆し、このような画像形成装置３０の用い方により、本実施形態によれば、ユーザーに与える興趣性を向上させることが可能となっている。これにより、画像形成装置３０の利用目的が多様化される。
［変形例１］
【００６３】
変形例１では、携帯端末装置１０による上記画像形成装置３０との通信により上記識別データに基づく上記承認を行うのではなく、ユーザーが、画像形成装置３０の操作部３２を操作して上記識別データを画像形成装置３０に入力することにより画像形成装置３０が携帯端末装置１０を承認するようにしてもよい。
【００６４】
例えば、サーバー５０の制御部６１は、各携帯端末装置１０の識別データを生成して、当該識別データを対応する携帯端末装置１０と、該携帯端末装置１０に対応付けられた画像形成装置３０とに対して、制御部６１を通じてネットワーク通信部５３から送信させる。
【００６５】
携帯端末装置１０では、該携帯端末装置１０の識別データを受信して表示部１１に表示させ、ユーザーが、該携帯端末装置１０に対応付けられた画像形成装置３０の操作部３２を操作して、携帯端末装置１０の識別データを入力する。また、画像形成装置３０では、サーバー５０から送信された識別データをネットワーク通信部３３で受信すると共に、操作部３２の操作により識別データを入力すると、制御部４１は、両者の識別データが一致するか否かを判定し、一致すると判定すると、携帯端末装置１０を承認すると判定し、また一致しないと判定すると携帯端末装置１０を承認しないと判定する。
［変形例２］
【００６６】
変形例２では、上記実施形態のように画像データをサーバー５０から、各ユーザーの携帯端末装置１０に対応する全ての画像形成装置３０に送信するのではなく、サーバー５０は、画像データを当該各画像形成装置３０のいずれかにのみ送信する。例えば、各画像形成装置３０では、自身の画像形成装置３０についての優先順位を記憶部３８に記憶しており、制御部４１は、画像形成の開始要求の送信時に、その優先順位を、制御部４１を通じてネットワーク通信部３３からサーバー５０に向けて送信させる。
【００６７】
サーバー５０では、各画像形成装置３０別に、画像形成の開始要求及び優先順位を、ネットワーク通信部５３で受信して、制御部６１を通じて制御部６１に入力する。制御部６１は、各画像形成装置３０からの画像形成の開始要求を受信したタイミングのずれが規定の操作時間に入ると判定した場合に、各画像形成装置３０のうちから最も高い優先順位の画像形成装置３０を選択し、画像データをネットワーク通信部５３から最も高い優先順位の画像形成装置３０に送信させる。
［変形例３］
【００６８】
変形例３では、上記画像データだけではなく、上記画像データに加えて、上記画像データとは異なる別の印刷データをサーバー５０から各画像形成装置３０の少なくとも１つに送信する。例えば、サーバー５０では、画像データを印刷データに対応付けて記憶部５８に記憶しておく。そして、サーバー５０では、各画像形成装置３０別に、画像形成の開始要求をネットワーク通信部５３で受信すると、制御部６１は、各画像形成装置３０からの画像形成の開始要求を受信したタイミングのずれが規定の操作時間に入ると判定した場合に、画像データ及び印刷データを記憶部５８から読み出して、画像データ及び印刷データをネットワーク通信部５３から各画像形成装置３０に向けて送信させる。各画像形成装置３０では、画像データ及び印刷データをネットワーク通信部３３で受信すると、制御部４１は、画像形成部３７を制御して、印刷データに基づき、画像データによって示される画像を記録紙に記録させる。
［変形例４］
【００６９】
変形例４では、各画像形成装置３０のいずれかを親として設定し、他の画像形成装置３０を子として設定する。親の画像形成装置３０では、制御部４１が、ユーザーによる操作部３２の操作に応じて印刷データを生成し、この印刷データを、制御部４１を通じてネットワーク通信部３３からサーバー５０へと送信させる。すなわち、このように印刷データを生成してサーバー５０に送信する機能を有する画像形成装置が親機である。サーバー５０では、印刷データを、ネットワーク通信部５３で受信して、制御部６１を通じて制御部６１に入力し、制御部６１が印刷データを記憶部５８に記憶させる。
【００７０】
そして、サーバー５０では、各画像形成装置３０別に、画像形成の開始要求をネットワーク通信部５３で受信すると、制御部６１は、各画像形成装置３０からの画像形成の開始要求を受信したタイミングのずれが規定の操作時間に入ると判定した場合に、画像データ及び印刷データを記憶部５８から読み出して、画像データ及び印刷データをネットワーク通信部５３から各画像形成装置３０に向けて送信させる。各画像形成装置３０では、画像データ及び印刷データをネットワーク通信部３３で受信すると、制御部４１は、画像形成部３７を制御して、印刷データ及び画像データによって示される画像を記録紙に記録させる。なお、このように印刷データの配信を受ける機能のみを有する画像形成装置が子機である。
【００７１】
また、サーバー５０では、各画像形成装置３０別に、印刷データを設定してもよい。親の画像形成装置３０では、各画像形成装置３０の印刷データを生成し、各画像形成装置３０の印刷データを該各画像形成装置３０の識別データＧＩＤに対応付けてネットワーク通信部３３からサーバー５０に送信させる。サーバー５０では、各画像形成装置３０の印刷データ及び識別データＧＩＤを、ネットワーク通信部３３で受信して、制御部４１を通じて制御部４１に入力し、制御部４１が各画像形成装置３０の印刷データ及び識別データＧＩＤを記憶部３８に記憶させる。
【００７２】
そして、サーバー５０の制御部６１は、画像データを画像形成装置３０に送信する際に、該画像形成装置３０の識別データＧＩＤに対応する印刷データを記憶部３８から読み出して、画像データ及び印刷データを、制御部６１を通じてネットワーク通信部５３から該画像形成装置３０に送信させる。
【００７３】
更に、親の画像形成装置３０側で設定された印刷データを、各画像形成装置３０側で変更できるようにしても構わない。例えば、各画像形成装置３０では、サーバー５０から送信された画像データ及び印刷データを受信したときに、制御部４１は、画像データ及び印刷データを記憶部３８に記憶させ、印刷データを表示部３１に表示させる。そして、操作部３２の操作により印刷データの変更が指示されると、制御部４１は、この指示に応じて表示部３１に表示されている印刷データを変更し、この変更の内容を記憶部３８に記憶されている印刷データに反映させる。この後、操作部３２の操作により印刷が指示されると、制御部４１は、画像形成部３７を制御して、その変更された印刷データに基づき、画像データによって示される画像を記録紙に記録させる。
【００７４】
更に、各画像形成装置３０の制御部４１は、印刷データを変更すると、この変更した印刷データを、制御部４１を通じてネットワーク通信部３３からサーバー５０に送信させる。サーバー５０では、その変更された印刷データをネットワーク通信部５３で受信すると、制御部６１は、この変更された印刷データを、制御部６１を通じてネットワーク通信部５３から親の画像形成装置３０に向けて送信させる。親の画像形成装置３０では、その変更された印刷データをネットワーク通信部３３で受信すると、制御部４１は、この変更された印刷データを表示部３１に表示する。
［変形例５］
【００７５】
また、親の画像形成装置３０では、上記規定の操作時間を変更してもよい。例えば、親の画像形成装置３０の制御部４１は、規定の操作時間を表示部３１に表示させ、操作部３２の操作により表示部３１の画面上の規定の操作時間が変更されて、規定の操作時間の変更が指示されると、この変更された規定の操作時間を、制御部４１を通じてネットワーク通信部３３からサーバー５０に送信させる。サーバー５０では、その変更された規定の操作時間をネットワーク通信部５３で受信すると、制御部６１は、この変更された規定の操作時間を記憶部５８に記憶し、以降、各画像形成装置３０からの画像形成の開始要求をネットワーク通信部５３で受信したときに、各画像形成装置３０からの画像形成の開始要求を受信したタイミングのずれがその変更された規定の操作時間に入るか否かを判定する。
【００７６】
また、各画像形成装置３０の制御部４１は、サーバー５０からの画像データを受信し、画像形成部３７を制御して、画像データによって示される画像を記録紙に記録させる際に、画像の記録速度を通常の記録速度よりも低下させてもよい。これにより、ユーザーが、画像形成装置３０の操作部３２を操作して、画像の記録を停止させることが容易になる。
［変形例６］
【００７７】
変形例６では、サーバー５０が、記憶部５８に、各画像形成装置３０別の画像データを記憶している。制御部６１は、上記画像形成開始要求を送信してきた各画像形成装置３０に応じた画像データを選択する。制御部６１は、ネットワーク通信部５３から、各画像形成装置３０に向けて、各画像形成装置３０に対応するそれぞれの画像データを送信させる。
［変形例７］
【００７８】
変形例７では、サーバー５０が、各携帯端末装置１０の位置ＫＰに応じた画像データを選択する。例えば、サーバー５０では、制御部６１が、各携帯端末装置１０から受信したそれぞれの位置ＫＰが属する領域（場所）に応じて異ならせた画像データを、携帯端末装置１０に対応付けられた各画像形成装置３０に送信する画像データとして選択する。
【００７９】
この場合、サーバー５０は、図５に例を示すように、複数の画像データＰＤと該各画像データに対応するそれぞれの規定の領域Ｒを対応付けた領域テーブルＲＴを予め設定して記憶部５８に記憶しておく。制御部６１は、各携帯端末装置１０から受信したそれぞれの位置ＫＰが、図５に示す領域Ｒのいずれに属するかを判定し、当該判定した領域Ｒに対応付けられている画像データＰＤを、対応する画像形成装置３０に送信する画像データとして選択する。
［変形例８］
【００８０】
更に、サーバー５０では、記憶部５８に複数の画像データを記憶しておき、制御部６１が、各画像形成装置３０からの画像形成の開始要求を受信したタイミングのずれが規定の操作時間に入ると判定したとき、当該複数の画像データのいずれかをランダムに選択して、この選択した画像データＰＤを各画像形成装置３０に送信する、或いは各画像形成装置３０の少なくとも１つに送信させるようにしてもよい。
［変形例７］
【００８１】
また、サーバー５０の制御部６１は、各画像形成装置３０からの画像形成の開始要求を受信したタイミングのずれが規定の操作時間に入ると判定したというだけではなく、携帯端末装置１０を通じて、ユーザーに対して課金することができるときに、各画像データＰＤのいずれかをランダムに選択して、この選択した画像データを、ネットワーク通信部５３から、画像形成装置３０に向けて送信させてもよい。例えば、複数種類のクーポン券の画像を示す各画像データを記憶部５８に記憶させておき、制御部６１は、上記タイミングのずれが規定の操作時間に入ると判定し、かつユーザーに対して課金することができると判定したときに、各画像データのいずれかをランダムに選択して、この画像データをネットワーク通信部５３から各画像形成装置３０に向けて送信させる。
【００８２】
更には、制御部６１は、このランダムな選択に代えて、時刻の経過に応じてクーポン券の種類や発行数を変更するように、画像データを選択して、この画像データをネットワーク通信部５３から各画像形成装置３０に向けて送信させるようにしてもよい。これにより、複数種類のクーポン券のうちから予想できない１つをユーザーに提供することが可能になる。
【００８３】
なお、図１乃至図５を用いて説明した上記実施形態及び変形例の構成及び処理は、本発明の一実施形態に過ぎず、本発明を当該構成及び処理に限定する趣旨ではない。
【符号の説明】
【００８４】
１０                携帯端末装置
１１、３１、５１    表示部
１２                タッチパネル
１３    ネットワーク通信部（第１ネットワーク通信部）
３３    ネットワーク通信部（第２ネットワーク通信部）
５３    ネットワーク通信部（第３ネットワーク通信部）
１４、３４          近距離通信部
１６                ＧＰＳ受信部
１８、３８、５８    記憶部
１９、３９、５９    制御ユニット
２１    制御部（第１制御部）
４１    制御部（第２制御部）
６１    制御部（第３制御部）
２３    表示制御部（第１制御部）
４３    表示制御部（第２制御部）
６３    表示制御部（第３制御部）
３６    画像読取部
３７    画像形成部
Ｓｙ    画像処理システム
【図１】
2018121306.tif 000003
【図２】
2018121306.tif 000004
【図３】
2018121306.tif 000005
【図４】
2018121306.tif 000006
【図５】
2018121306.tif 000007